(57)【特許請求の範囲】
【請求項１】
輝度信号が入力される入力手段と、
前記入力手段から入力された輝度信号より高域成分を抽出して、これを入力された輝度信号に加算して出力する高域強調手段と、
前記入力手段に入力された1フレーム分の輝度信号に対して各輝度レベルのヒストグラムデータを取得する取得手段と、
前記取得手段で取得された各輝度レベルのヒストグラムデータを所定値に基づいて度数変換処理を行いこの度数変換処理により補正されたヒストグラムデータに基づいて予め設定された高域強調量を補正しＬＵＴに格納する高域強調テーブル作成手段を備えた処理手段とを具備し、
前記高域強調テーブル作成手段は、
前記取得手段で取得された各輝度レベルのヒストグラムデータから、ヒストグラムデータの差分をとりこの差分データから各輝度レベルに対応して予め設定された閾値を減算する減算手段と、
前記減算手段から得られた各減算値に、各輝度レベルに対応して予め設定された重み付け係数を乗算する乗算手段と、
前記乗算手段から得られた各乗算結果に基づいて、各輝度レベルに対応して予め設定された高域強調効果量を補正する補正手段とを有する
ことを特徴とする映像信号処理装置。
【請求項２】
前記減算手段は、減算結果が負になる場合、0を出力することを特徴とする請求項１記載の映像信号処理装置。
【請求項３】
前記入力手段に入力された1フレーム分の輝度信号に対して、遅延信号を得て高域成分を抽出し、抽出した高域成分から微小信号成分を削除する処理手段を更に加えた請求項１記載の映像信号処理装置。
【請求項４】
前記減算手段から得られた各減算値に、前記乗算に先立って度数分散処理を行う度数分散処理手段を更に加えた請求項１記載の映像信号処理装置。
【請求項５】
輝度信号を入力する第1の工程と、
前記第1の工程で入力された1フレーム分の輝度信号に対して、各輝度レベルのヒストグラムデータを取得する第2の工程と、
前記第2の工程で取得された各輝度レベルのヒストグラムデータのうち所定値よりも大きいヒストグラムデータを、各輝度レベルに対応する輝度レベルの範囲に度数変換演算させ、その度数変換演算結果を前記第2の工程で取得された各輝度レベルのヒストグラムデータに加算して補正されたヒストグラムデータを得る第3の工程と、
前記第3の工程で補正されたヒストグラムデータに基づいて、前記第1の工程で入力された輝度信号に高域強調処理を施すための高域強調処理用テーブルを作成する第4の工程と、
前記第4の工程で作成された高域強調処理用テーブルに基づいて、前記第1の工程で入力された輝度信号に高域強調処理を施す第5の工程とを具備し、
前記第４の工程は、
前記第2の工程で取得された各輝度レベルのヒストグラムデータから、各輝度レベルに対応して予め設定された閾値を減算する第6の工程と、
前記第６の工程で得られた各減算値に、各輝度レベルに対応して予め設定された重み付け係数を乗算する第７の工程とを含み、かつ前記第６の工程で得られた各減算値に、前記第７の工程に先立って度数分散処理を行う
ことを特徴とする映像信号処理方法。
【請求項６】
前記第６の工程は、減算結果が負になる場合、0を出力することを特徴とする請求項５記載の映像信号処理方法。
【請求項７】
前記第1の工程で入力された1フレーム分の輝度信号に対して、遅延信号を得て高域成分を抽出し、抽出した高域成分から微小信号成分を削除する第８の工程とを更に加えた請求項５記載の映像信号処理方法。
【発明の詳細な説明】
【技術分野】
【０００１】
本発明は、輝度のヒストグラムに基づいて映像信号の高域強調処理を施す映像信号処理装置及び映像信号処理方法に関する。
【背景技術】
【０００２】
周知のように、近年では、フラットパネル型の大画面ディスプレイが開発され、テレビジョン放送受信装置に実用化されている。ところで、この種の大画面ディスプレイでは、表示映像を鮮明に見せるために、映像信号の輝度成分を用いて信号補正処理を施すことが行われている。
【０００３】
特許文献１には、信号補正処理の一つとして輪郭補正を行うようにした構成が開示されている。制御回路４では輝度分布を評価・判定して、輪郭補正回路５では分布度数が大きい輝度レベル領域で輪郭補正が弱められる結果、ノイズが抑制されるようにするというものである。しかしながら、この特許文献１による方法は、輝度分布の評価・判定方法として例えば所定の閾値ｈ１よりも多い画素数を有する輝度レベルの範囲に対して単純に輪郭補正を弱めるというものであり、輪郭強調、換言すると映像信号の高域強調（シャープネス）処理に関して十分に精度の高い有効な制御方法が開示されていないという問題があった。例えば、取得した輝度分布に急峻な山が現れる場合、それは輝度変化が微小でプレーン（一様）な領域を示す。このような領域に適するノイズ低減の効果の可能性を求めることはできないという問題があった。
【特許文献１】特開２００５−１７５７３５号公報
【発明の開示】
【発明が解決しようとする課題】
【０００４】
本発明は、輝度のヒストグラムに基づいてより精度の高い映像信号の高域強調処理を施す映像信号処理装置及び映像信号処理方法を提供することを目的とする。
【課題を解決するための手段】
【０００５】
上記課題を解決するために、本発明の映像信号処理装置は、輝度信号が入力される入力手段と、前記入力手段から入力された輝度信号より高域成分を抽出して、これを入力された輝度信号に加算して出力する高域強調手段と、前記入力手段に入力された1フレーム分の輝度信号に対して各輝度レベルのヒストグラムデータを取得する取得手段と、前記取得手段で取得された各輝度レベルのヒストグラムデータを所定値に基づいて度数変換処理を行いこの度数変換処理により補正されたヒストグラムデータに基づいて予め設定された高域強調量を補正しＬＵＴに格納する高域強調テーブル作成手段を備えた処理手段とを具備し、前記高域強調テーブル作成手段は、前記取得手段で取得された各輝度レベルのヒストグラムデータから、ヒストグラムデータの差分をとりこの差分データから各輝度レベルに対応して予め設定された閾値を減算する減算手段と、前記減算手段から得られた各減算値に、各輝度レベルに対応して予め設定された重み付け係数を乗算する乗算手段と、前記乗算手段から得られた各乗算結果に基づいて、各輝度レベルに対応して予め設定された高域強調効果量を補正する補正手段とを有することを特徴とする。
【０００６】
また映像信号処理方法は、輝度信号を入力する第1の工程と、前記第1の工程で入力された1フレーム分の輝度信号に対して、各輝度レベルのヒストグラムデータを取得する第2の工程と、前記第2の工程で取得された各輝度レベルのヒストグラムデータのうち所定値よりも大きいヒストグラムデータを、各輝度レベルに対応する輝度レベルの範囲に度数変換演算させ、その度数変換演算結果を前記第2の工程で取得された各輝度レベルのヒストグラムデータに加算して補正されたヒストグラムデータを得る第3の工程と、前記第3の工程で補正されたヒストグラムデータに基づいて、前記第1の工程で入力された輝度信号に高域強調処理を施すための高域強調処理用テーブルを作成する第4の工程と、前記第4の工程で作成された高域強調処理用テーブルに基づいて、前記第1の工程で入力された輝度信号に高域強調処理を施す第5の工程とを具備し、前記第４の工程は、前記第2の工程で取得された各輝度レベルのヒストグラムデータから、各輝度レベルに対応して予め設定された閾値を減算する第6の工程と、前記第６の工程で得られた各減算値に、各輝度レベルに対応して予め設定された重み付け係数を乗算する第７の工程とを含み、かつ前記第６の工程で得られた各減算値に、前記第７の工程に先立って度数分散処理を行うことを特徴とする。
【発明の効果】
【０００７】
本発明によれば、輝度のヒストグラムに基づいてより精度の高い映像信号の高域強調処理を施す映像信号処理装置及び映像信号処理方法が得られる。
【発明を実施するための最良の形態】
【０００８】
以下、本発明の実施例を説明する。
【実施例１】
【０００９】
本発明による実施例１を図１乃至図６を参照して説明する。
図１は、実施の形態で説明するテレビジョン放送受信装置１１の映像信号処理系を概略的に示している。
すなわち、デジタルテレビジョン放送受信用のアンテナ１２で受信したデジタルテレビジョン放送信号は、入力端子１３を介して選局復調部１４に供給される。この選局復調部１４は、入力されたデジタルテレビジョン放送信号から所望のチャンネルの放送信号を選局し、その選局された信号を復調してデコーダ１５に出力している。
【００１０】
そして、このデコーダ１５は、選局復調部１４から入力された信号にデコード処理を施すことにより、デジタルの輝度信号Ｙ及び色信号Ｃｂ／Ｃｒをそれぞれ生成して、セレクタ１６に出力している。
【００１１】
また、アナログテレビジョン放送受信用のアンテナ１７で受信したアナログテレビジョン放送信号は、入力端子１８を介して選局復調部１９に供給される。この選局復調部１９では、入力されたアナログテレビジョン放送信号から所望のチャンネルの放送信号を選局し、その選局された信号を復調してアナログの輝度信号Ｙ及び色信号Ｃｂ／Ｃｒをそれぞれ生成している。
【００１２】
そして、この選局復調部１９で生成されたアナログの輝度信号Ｙ及び色信号Ｃｂ／Ｃｒは、Ａ／Ｄ (analog／digital) 変換部２０に供給されてデジタルの輝度信号Ｙ及び色信号Ｃｂ／Ｃｒに変換された後、上記セレクタ１６に出力される。
【００１３】
また、アナログ映像信号用の外部入力端子２１に供給されたアナログの輝度信号Y及び色信号Ｃｂ／Ｃｒは、A／D変換部２２に供給されてデジタルの輝度信号Y及び色信号Ｃｂ／Ｃｒに変換された後、上記セレクタ１６に出力される。さらに、デジタル映像信号用の外部入力端子２３に供給されたデジタルの輝度信号Y及び色信号Ｃｂ／Ｃｒは、そのまま上記セレクタ１６に供給される。
【００１４】
ここで、このセレクタ１６は、デコーダ１５、A／D変換部２０、２２及び外部入力端子２３からそれぞれ供給されるデジタルの輝度信号Y及び色信号Ｃｂ／Ｃｒから1つを選択して、映像信号処理部２４に供給している。上記のようにこのセレクタ１６までで輝度信号が入力される入力手段を構成している。
【００１５】
この映像信号処理部２４は、詳細は後述するが、入力されたデジタルの輝度信号Y及び色信号Ｃｂ／Ｃｒに対して所定の信号処理を施すことにより、R（red），G（green），B（blue）信号を生成している。
【００１６】
そして、この映像信号処理部２４で生成されたR，G，B信号が、映像表示部２５に供給されて映像表示に供される。なお、この映像表示部２５としては、例えば、液晶ディスプレイやプラズマディスプレイ等でなるフラットパネルディスプレイが採用される。
【００１７】
ここで、このテレビジョン放送受信装置１１は、上記した各種の受信動作を含む種々の動作を制御部２６によって統括的に制御されている。この制御部２６は、CPU（central processing unit）等を内蔵したマイクロプロセッサであり、図示しないリモートコントローラを含む操作部２７からの操作情報を受けて、その操作内容が反映されるように各部をそれぞれ制御している。
【００１８】
この場合、制御部２６は、主として、そのCPUが実行する制御プログラムを格納したROM（read only memory）２８と、該CPUに作業エリアを提供するためのRAM（random access memory）２９と、各種の設定情報及び制御情報等が格納される不揮発性メモリ３０とを利用している。
【００１９】
図2は、上記映像信号処理部２４の一例を示している。すなわち、上記セレクタ１６で選択されたデジタルの輝度信号Y及び色信号Ｃｂ／Ｃｒは、入力端子３１ａ、３１ｂを介してIP（interlace progressive）変換・スケーリング処理部３２に供給される。
【００２０】
このIP変換・スケーリング処理部３２は、入力された輝度信号Y及び色信号Ｃｂ／Ｃｒに対して、映像表示部２５（液晶ディスプレイやプラズマディスプレイ等でなるフラットパネルディスプレイ）で表示を行なうためにプログレッシブ変換処理及びスケーリング処理を施して、エンハンサ処理部３３に出力している。
【００２１】
このエンハンサ処理部３３は、入力された輝度信号Y及び色信号Ｃｂ／Ｃｒに対して、垂直及び水平方向の立ち上がりを急峻にしたり、または、シャープネスを変えたりするエンハンサ処理を施して、信号補正部３４に出力している。エンハンサ処理は、信号補正処理の対象である映像信号の高域強調処理に関する。またヒストグラム取得部３３ａは、IP変換・スケーリング処理部３２からの輝度信号を入力し輝度信号のヒストグラムを取得した結果をエンハンサ処理部３３へ出力するよう接続されている。
【００２２】
この信号補正部３４は、入力された輝度信号Yに対して階調補正のための非線形補正処理を施すとともに、その非線形補正処理に伴なって色信号Ｃｂ／Ｃｒに振幅制御処理を施し、色空間変換部３５に出力している。
【００２３】
この色空間変換部３５は、入力された輝度信号Y及び色信号Ｃｂ／ＣｒをR，G，B信号に変換し、RGBガンマ補正部３６に出力している。このRGBガンマ補正部３６は、入力されたR，G，B信号に対して、ホワイトバランス調整を施すとともに、上記映像表示部２５に対するガンマ補正処理を施し、ディザ処理部３７に出力している。
【００２４】
そして、このディザ処理部３７が、入力されたR，G，B信号に対して、表現力を増すためにビット数の拡張された高階調のビット表現を、映像表示部２５に対応した低階調のビット数に変換する圧縮処理を施した後、出力端子３８、３９、４０を介して映像表示部２５に出力している。
【００２５】
図3は、上記エンハンサ処理部３３の輝度信号を用いる構成の一例を示している。左下の破線で区切られたヒストグラムデータを取得する取得手段であるヒストグラム取得部３３ａと接続されている。すなわち、輝度信号が入力される入力手段に連なる上記IP変換・スケーリング処理部３２から出力された輝度信号Yは、信号入力４１としてフレームメモリ４２に与えられよってまず１フレーム遅延処理が行われる構成となっている。これは画像１フレーム分のヒストグラム取得を行わないとならないため、その取得期間の遅延を行うことを目的としている。遅延された信号は、２次微分算出回路４３により任意の高域成分を抽出し、ノイズ等の微小信号成分を削除するためにコアリング処理４４が施される構成となっている。そして、乗算器４６によりＬＵＴ格納ＳＲＡＭ４５により与えられる値により強調量が決定され、加算器４７より源信号となるフレーム遅延信号に加算され高域強調動作が行われ、信号出力４８として出力される構成となっている。
【００２６】
高域強調量を制御する過程として、入力信号４１はまず、ヒストグラム取得部３３ａに入力され各レベルの画素数が計測される。入力された1フレーム分の輝度信号に対して、各輝度レベルのヒストグラムデータを取得する。この際、レベルの分解数は入力信号１のダイナミックレンジに対して十分細かいものとする。（例えば8bit分解能の256分割）。１フレーム分取得したところでヒストグラム情報５０は、プロセッサ５１で動作するプログラムに入力され、各レベルの高域強調量となるＬＵＴ５２を算出し、ＬＵＴ格納ＳＲＡＭ４５にセットする。即ち、ＬＵＴ格納ＳＲＡＭ４５は輝度信号に高域強調処理を施す処理手段、特にプロセッサ５１とともに高域強調処理用テーブルを作成する作成手段を構成し、加算器４７は高域強調処理を施す高域強調手段を構成している。また輝度信号に高域強調処理を施す処理手段のうちプロセッサ５１は制御手段、ＬＵＴ格納ＳＲＡＭ４５は変換手段の役割を担っている。
【００２７】
高域強調量は、1フレーム遅延された信号レベルを確認しながら、そのレベルに対応する強調量をＬＵＴ格納ＳＲＡＭ４５より参照し、乗算器４６へ出力することで行われる。
【００２８】
図４は、上記高域強調補正処理部４２が輝度信号Yに施すＬＵＴ算出の一例をまとめたフローチャートを示している。すなわち、処理が開始（ステップS1）されると、ヒストグラム取得回路３３ａは、ステップS2で、各輝度レベル1〜nについてそれぞれヒストグラムデータDIN（1）〜DIN（n）を取得する。
【００２９】
このヒストグラムデータの取得は、輝度レベルのダイナミットレンジをn分割し、1フレーム分の映像信号に対して、各輝度レベル1〜nに対応している画素数をカウントすることにより行なわれる。この場合、輝度レベル1〜nの分解能は十分に細かく設定されるものとする。例えば、入力映像信号が8ビットである場合は、ヒストグラムデータを取得する際の輝度レベルの分解能も8ビットとする。
【００３０】
図５は、上記のようにして取得された1フレーム分の輝度のヒストグラムデータの一例を示している。この場合、輝度レベルの分解能は、8ビット（0〜255）としている。すなわち、0〜255までの256個の各輝度レベルに対して、それぞれ対応している画素の数が取得されている。このため、各輝度レベルにおける画素数を全て加算すると、その合計は、入力映像信号が持つ1フレーム分の画素数と同じになる。以下0〜255でなく再び１〜ｎと一般化して説明する。
【００３１】
その後、プロセッサ５１は、取得したヒストグラムデータDIN（1）〜DIN（n）に対して、制御部２６から供給される制御データに基づいて度数分散処理を実行する。まず、プロセッサ５１は、図４ステップS3で、各輝度レベル1〜nのヒストグラムデータDIN（1）〜DIN（n）に対して、輝度レベル差が微小なプレーンな領域を検出するため、演算対象となるレベルｉの前後（ｉ−１、ｉ＋１）との差の絶対値を計算し、大きい方（両端の定義されないDIN（０）、DIN（ｎ＋１）は値を０として計算する）をＤｈｄｓ１（i）として取得する。次に、プロセッサ５１は、ステップS4で、各輝度レベル1〜nのＤｈｄｓ１（1）〜Ｄｈｄｓ１（n）に対して、それぞれ偏差上限係数ＨＤＥを減算し、Ｄｈｄｓ２（i）を取得する。これは、値が大きすぎると補正量が大きくなりすぎるため、リミッタとして動作する。次に、プロセッサ５１は、ステップS５で、各輝度レベル1〜nのＤｈｄｓ２（i）より偏差下限係数ＨＤＳを減算し、Ｄｈｄｓ３（i）を取得する。これは、補正対象とする面積より小さい場合は値を０にすることで、処理が行われないようにするものである。
【００３２】
その後、プロセッサ５１は、ステップS６で、度数分散処理を行いＤｈｄｓ４を取得する。演算例は以下の番号１〜４に記載するが、これによりヒストグラムにより得られた補正対象となる領域をさらに拡大する処理が行われる。これは、正確に領域を設定した場合、その画像の輪郭部分について少しの変動でも高域強調レベルが変動してしまい視覚的に問題があるため、この変動を押さえ込む働きをする。番号１〜４のうち適宜利用すればよいが、番号が大きくなるほど変動を押さえ込む働きが大きい。この範囲より働きが小さいものや大きいものを用いてもよい。
【００３３】
１．
Dhds3(i), Dhds3(i-1), 0.875*Dhds3(i-2), 0.75*Dhds3(i-3), 0.625*Dhds3(i-4), 0.5*Dhds3(i-5), 0.375*Dhds3(i-6), 0.25*Dhds3(i-7), 0.125*Dhds3(i-8), Dhds3(i+1), 0.875*Dhds3(i+2), 0.75*Dhds3(i+3), 0.625*Dhds3(i+4), 0.5*Dhds3(i+5), 0.375*Dhds3(i+6), 0.25*Dhds3(i+7), 0.125*Dhds3(i+8) より最大値をDhds4(i)として取得
【００３４】
２．
Dhds3(i), Dhds3(i-1), Dhds3(i-2), 0.875*Dhds3(i-3), 0.75*Dhds3(i-4), 0.625*Dhds3(i-5), 0.5*Dhds3(i-6), 0.375*Dhds3(i-7), 0.25*Dhds3(i-8), 0.125*Dhds3(i-9), Dhds3(i+1), Dhds3(i+2), 0.875*Dhds3(i+3), 0.75*Dhds3(i+4), 0.625*Dhds3(i+5), 0.5*Dhds3(i+6), 0.375*Dhds3(i+7), 0.25*Dhds3(i+8), 0.125*Dhds3(i+9) より最大値をDhds4(i)として取得
【００３５】
３．
Dhds3(i), Dhds3(i-1), Dhds3(i-2), Dhds3(i-3), 0.875*Dhds3(i-4), 0.75*Dhds3(i-5), 0.625*Dhds3(i-6), 0.5*Dhds3(i-7), 0.375*Dhds3(i-8), 0.25*Dhds3(i-9), 0.125*Dhds3(i-10), Dhds3(i+1), Dhds3(i+2), Dhds3(i+3), 0.875*Dhds3(i+4), 0.75*Dhds3(i+5), 0.625*Dhds3(i+6), 0.5*Dhds3(i+7), 0.375*Dhds3(i+8), 0.25*Dhds3(i+9), 0.125*Dhds3(i+10), より最大値をDhds4(i)として取得
【００３６】
４．
Dhds3(i), Dhds3(i-1), Dhds3(i-2), Dhds3(i-3), Dhds3(i-4), 0.875*Dhds3(i-5), 0.75*Dhds3(i-6), 0.625*Dhds3(i-7), 0.5*Dhds3(i-8), 0.375*Dhds3(i-9), 0.25*Dhds3(i-10), 0.125*Dhds3(i-11), Dhds3(i+1), Dhds3(i+2), Dhds3(i+3), Dhds3(i+4), 0.875*Dhds3(i+5), 0.75*Dhds3(i+6), 0.625*Dhds3(i+7), 0.5*Dhds3(i+8), 0.375*Dhds3(i+9), 0.25*Dhds3(i+10), 0.125*Dhds3(i+11) より最大値をDhds4(i)として取得
【００３７】
そして、プロセッサ５１は、ステップS7で、値Dｈｄｓ４（i）に値ＨＤＧ（i）を乗算して、つまり、
Dｈｄｓ５（i）＝Dｈｄｓ４（i）×ＨＤＧ（i）
なる演算を行なって、乗算値Dｈｄｓ５（i）を算出する。このステップS８による演算処理は、各輝度レベル1〜nに対してそれぞれ行なわれる。最終的な補正量を決定するためのゲインを設定する。これはレベル１〜ｎに対してのデータ量を持たせている。ＨＤＧ（i）は０と１の間の数で１は最高の効果０は無効果に相当する。ユーザがこの間で強、中、弱、オフというように数段階に装置メニュー等で選択できるようにすればよい。
【００３８】
次に、プロセッサ５１は、ステップS８で、各輝度レベル1〜nのヒストグラムデータDIN（1）〜DIN（n）に対して、それぞれ高域強調ゲインの基準値Ｄｄｓ（1）〜Ｄｄｓ（n）を取得する。これは、ヒストグラム値による補正を行わない際の基準とするゲイン設定となる。
【００３９】
次に、プロセッサ５１は、ステップS９で、各輝度レベル1〜nのヒストグラムデータDIN（1）〜DIN（n）に対して、それぞれ高域強調ゲイン下限リミット値Ｓｕ（1）〜Ｓｕ（n）を取得する。
【００４０】
そして、プロセッサ５１は、ステップS１０で、値Ｄｄｓ（i）から値Dｈｄｓ５（i）を減算して、つまり、
Dｈｄｓ６（i）＝Ｄｄｓ（i）−Dｈｄｓ５（i）
なる演算を行なって、減算値Dｈｄｓ６（i）を算出する。これにより基準値となる高域強調ゲインの設定値からヒストグラム値から得られた補正が行われることになる。
【００４１】
その後、プロセッサ５１は、ステップS１１で、Dｈｄｓ６（i）［i＝1〜n］と値Ｓｕ（i）を比較して、値の大きい方をＤｈｄｓ７（i）として得る。これは、補正が行われる限界値をユーザーが設定し、過度に補正されるのを防ぐために行われる。つまり、
【００４２】
Dｈｄｓ７（i）＝ＭＡＸ(Dｈｄｓ６（i）, Ｓｕ（i）)
なる演算を行なって値Dｈｄｓ７（i）を算出する。これは、補正が行われる限界値をユーザーが設定し、過度に補正されるのを防ぐために行われる。
このステップS１０及びS１１による演算処理は、各輝度レベル1〜nに対してそれぞれ行なわれる。なお、減算結果が負になった場合には、Dｈｄｓ７（i）を0とする。
【００４３】
ステップS１２では、上記のＤｈｄｓ７を結果として出力する。これがプロセッサ５１より出力されるＬＵＴ５２となり、高域強調効果量を補正するフローは終了である（ステップＳ１３）。
【００４４】
ここで、図６は、上記した高域強調処理をヒストグラムデータの特性図上で示している。まず、図６（a）に示すように、各輝度レベル1〜nの分布の広いヒストグラムデータDIN（1）〜DIN（n）に対して、（ｂ）の実線に示すような傾斜の絶対値の差分Ｄｈｄｓ１（i）が取得される。ここではＨＤＥよりＤｈｄｓ１（i）は常に小さいのでＤｈｄｓ２（i）はＤｈｄｓ１（i）と同一の線となる。Ｄｈｄｓ２（i）はＨＤＳより常に小さいのでＤｈｄｓ３（i）としては常に値は０となる。このため次のＤｈｄｓ４（i）も常に値は０となり、高域強調ゲインの基準値Ｄｄｓ（1）〜Ｄｄｓ（n）に強調の緩和は行われない。
【００４５】
他方図６（ｃ）では（a）とは異なり、各輝度レベル1〜nの分布のより狭いヒストグラムデータDIN（1）〜DIN（n）に対して、（ｄ）の実線に示すような傾斜の絶対値の差分Ｄｈｄｓ１（i）が取得される。ここではＨＤＥによるＤｈｄｓ１（i）の頭切り、ＨＤＳによるＤｈｄｓ２（i）の足切りが行われ、Ｄｈｄｓ３（i）としては（ｅ）の破線のような分布が得られる。Ｄｈｄｓ４（i）をこのＤｈｄｓ３（i）より計算すると（ｅ）の実線のようになる。視聴者が見るときシャープネスが急に変わって見えることを防ぐような、急峻なエッジの範囲を広げる補正である。このＤｈｄｓ４（i）の分だけ高域強調ゲインの基準値Ｄｄｓ（1）〜Ｄｄｓ（n）に対して強調の緩和が行われる。
【００４６】
上記した実施の形態によれば、輝度のレベルと、それが画面に占める面積を情報として取得していることにより、例えば特定の輝度のレベルで面積の大きいプレーンな画像（例えば青空の撮影画像）において、そういった部分を検出し、特定的に高域強調を制限する処理が可能になる。この輝度分布の山の部分の両端（入力輝度レベルでの下端と上端）を算出し、その範囲について高域強調ゲインを制限することで、プレーンな画像（例えば、全面の青空等）に載ってしまっているノイズ成分に対して強調を行わないようにすることが可能になる。
【００４７】
これにより、青空部分に載ってしまったノイズなどを強調しない（さらに反転加算でコアリング処理）等の処理を行うことで視覚上ノイズを目立たせなくすることが可能になる。
【００４８】
処理画像ピクセルの輝度レベルにより、高域強調（シャープネス）のゲインを制御する手段と、処理画像の輝度によるヒストグラムを取得する手段を持つシステムにおいて、取得したヒストグラムの内容により、各輝度レベルにおいて最適な高域強調ゲインに制御するシステムが供される。
【００４９】
取得したヒストグラムの傾向から、ほぼ同じレベルの輝度が画面に占める割合の大きい（面積大）時、そのレベルに対して高域強調のゲインを基準値よりも下げるように働くことを基本動作とする。
【００５０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５１】
【図１】本発明の実施の形態を示すもので、テレビジョン放送受信装置の映像信号処理系を説明するために示すブロック構成図。
【図２】同実施の形態におけるテレビジョン放送受信装置の映像信号処理部の詳細を説明するために示すブロック構成図。
【図３】同実施の形態における映像信号処理部のエンハンサ処理部の詳細を説明するために示すブロック構成図。
【図４】同実施の形態における高域強調補正処理部の処理動作を説明するために示すフローチャート。
【図５】同実施の形態における高域強調補正処理部が取得する１フレーム分のヒストグラムデータを説明するために示す図。
【図６】同実施の形態における高域強調補正処理部の高域強調処理動作の一例を説明するために示す図。
【符号の説明】
【００５２】
11…テレビジョン放送受信装置、12…アンテナ、13…入力端子、14…選局復調部、15…デコーダ、16…セレクタ、17…アンテナ、18…入力端子、19…選局復調部、20…Ａ／Ｄ変換部、21…外部入力端子、22…Ａ／Ｄ変換部、23…外部入力端子、24…映像信号処理部、25…映像表示部、26…制御部、27…操作部、28…ＲＯＭ、29…ＲＡＭ、30…不揮発性メモリ、31a, 31b…入力端子、32…ＩＰ変換・スケーリング処理部、33…エンハンサ処理部、33a…ヒストグラム取得部、34…信号補正部、35…色空間変換部、36…ＲＧＢガンマ補正部、37…ディザ処理部、38〜40…出力端子、41…信号入力、42…フレームメモリ、43…２次微分算出回路、出力端子、44…コアリング処理、45…ＬＵＴ格納ＳＲＡＭ、46…乗算器、47…加算器、48…信号出力、49…ヒストグラム情報、51…プロセッサ、52…ＬＵＴ。
【図１】
0004791887.tif 000002
【図２】
0004791887.tif 000003
【図３】
0004791887.tif 000004
【図４】
0004791887.tif 000005
【図５】
0004791887.tif 000006
【図６】
0004791887.tif 000007